(57)【要約】【課題】剛性を確保しつつ、薄型化を図ることができる複合板材を提供する。【解決手段】複合板材１０は、面方向に沿って並べられ、厚さ方向に沿って延びる六角形筒状の複数の筒部２１を有するハニカム構造体２０と、筒部２１の内部に充填される充填材３０と、を備える。ハニカム構造体２０は、筒部２１に充填材３０が充填される充填領域１２と、筒部２１に充填材３０が充填されない非充填領域１３と、を備える。これにより、複合板材１０において、剛性を確保しつつ、薄型化を図ることができる。【選択図】図１
2019203274.tif 000002
【特許請求の範囲】
【請求項１】
面方向に沿って並べられ、厚さ方向に沿って延びる六角形筒状の複数の筒部を有するハニカム構造体と、
前記筒部の内部に充填される充填材と、を備え、
前記ハニカム構造体は、
前記筒部に前記充填材が充填される充填領域と、
前記筒部に前記充填材が充填されない非充填領域と、を備える、
複合板材。
【請求項２】
前記充填領域は、前記複合板材の外周縁部に沿って形成され、
前記非充填領域は、前記充填領域に囲まれる領域に形成される、
請求項１に記載の複合板材。
【請求項３】
前記筒部は、
平板状に延びる薄壁部と、
前記薄壁部よりも厚く、前記薄壁部に対して異なる角度に平板状に延びる厚壁部と、を備える、
請求項１又は２に記載の複合板材。
【請求項４】
前記非充填領域は、物を設置するための領域である、
請求項１から３の何れか一項に記載の複合板材。
【発明の詳細な説明】
【技術分野】
【０００１】
本発明は、複合板材に関する。
【背景技術】
【０００２】
従来から、例えば、特許文献１に記載されるように、ハニカム構造体を一対の板材で挟み込む複合板材が知られている。一対の板材がハニカム構造体に接着されることにより、複合板材の剛性が確保される。
【先行技術文献】
【特許文献】
【０００３】
【特許文献１】特開２０１５−０００２５５号公報
【発明の概要】
【発明が解決しようとする課題】
【０００４】
上記特許文献１に記載の複合板材の厚さは、ハニカム構造体の厚さと一対の板材の厚さを足し合わせた厚さとなる。このため、複合板材において、剛性を確保しつつ、薄型化を図ることが困難であった。
【０００５】
本発明は、上記実状を鑑みてなされたものであり、剛性を確保しつつ、薄型化を図ることができる複合板材を提供することを目的とする。
【課題を解決するための手段】
【０００６】
上記目的を達成するため、本発明に係る複合板材は、面方向に沿って並べられ、厚さ方向に沿って延びる六角形筒状の複数の筒部を有するハニカム構造体と、前記筒部の内部に充填される充填材と、を備え、前記ハニカム構造体は、前記筒部に前記充填材が充填される充填領域と、前記筒部に前記充填材が充填されない非充填領域と、を備える。
【０００７】
また、上記複合板材において、前記充填領域は、前記複合板材の外周縁部に沿って形成され、前記非充填領域は、前記充填領域に囲まれる領域に形成される、ようにしてもよい。
【０００８】
また、上記複合板材において、前記筒部は、平板状に延びる薄壁部と、前記薄壁部よりも厚く、前記薄壁部に対して異なる角度に平板状に延びる厚壁部と、を備える、ようにしてもよい。
【０００９】
また、上記複合板材において、前記非充填領域は、物を設置するための領域である、ようにしてもよい。
【発明の効果】
【００１０】
本発明によれば、複合板材において、剛性を確保しつつ、薄型化を図ることができる。
【図面の簡単な説明】
【００１１】
【図１】本発明の一実施形態に係る複合板材の断面図である。
【図２】本発明の一実施形態に係る複合板材の平面図である。
【図３】本発明の一実施形態に係る図２の一部の拡大図である。
【図４】比較例に係る変形時のハニカム構造体の斜視図である。
【図５】（ａ）及び（ｂ）は本発明の変形例に係る複合板材の平面図である。
【図６】本発明の変形例に係る複合板材の平面図である。
【図７】本発明の変形例に係る複合板材の断面図である。
【発明を実施するための形態】
【００１２】
本発明に係る複合板材の一実施形態について図面を参照して説明する。
図１に示すように、複合板材１０は、長方形板状をなし、一例として、後述するように設置対象物Ｗを設置するために用いられる。複合板材１０は、ハニカム構造体２０と、充填材３０と、を備える。
ハニカム構造体２０は正六角形筒状の複数の筒部２１を備える。複数の筒部２１は、複合板材１０の面方向において隙間なく並べられ、複合板材１０の厚さ方向に延びる。ハニカム構造体２０は、アルミニウム、紙、セラミック又は樹脂により形成される。
【００１３】
図３に示すように、各筒部２１は、６つの壁部２２により構成される。壁部２２は、自身に隣接する壁部２２に対して６０°をなす。筒部２１は、壁部２２として、１枚の板材からなる単層壁部２２ａと、面接着された２枚の板材からなる二層壁部２２ｂと、を備える。二層壁部２２ｂは、単層壁部２２ａの２倍の厚さを有する。二層壁部２２ｂは、面方向の第１方向Ｘに沿って破線状に並べられ、第１方向Ｘに並ぶ二層壁部２２ｂは、面方向における第１方向Ｘに直交する第２方向Ｙに並べられる。
より詳しくは、ハニカム構造体２０は、筒部２１として、４つの単層壁部２２ａ及び２つの二層壁部２２ｂからなる第１の筒部２１ａと、６つの単層壁部２２ａからなる第２の筒部２１ｂと、を備える。第１の筒部２１ａは第２方向Ｙに沿って並べられる。第２の筒部２１ｂは、第１の筒部２１ａに対して第１方向Ｘに隣接する位置にて、第２方向Ｙに沿って並べられている。
【００１４】
図１及び図２に示すように、充填材３０は、ハニカム構造体２０の充填領域１２における筒部２１内に充填される。充填材３０は、筒部２１の内部空間に対応する正六角形柱状をなし、本例ではハニカム構造体２０と同一の高さを有する。充填材３０は、通気性を有しない材質、例えば、ゴム、プラスチック等の樹脂又はセラミックにより形成される。
【００１５】
詳しくは、ハニカム構造体２０は、筒部２１に充填材３０が充填される充填領域１２と、筒部２１に充填材３０が充填されない非充填領域１３と、を備える。非充填領域１３は通気性を有し、充填領域１２は通気性を有さない。
【００１６】
図２に示すように、充填領域１２は、複合板材１０の外周縁部に沿って形成される。すなわち、充填領域１２は四角形の枠状をなす。充填領域１２における複数の筒部２１内には充填材３０が充填されているため、充填領域１２における曲げが抑制される。
非充填領域１３は、充填領域１２に囲まれた領域、すなわち、複合板材１０の中央部に形成される。非充填領域１３における複数の筒部２１内には充填材３０が充填されていないため、非充填領域１３においては筒部２１内を複合板材１０の厚さ方向に沿って空気等の流体が通過する。非充填領域１３と充填領域１２の境界線は、複数の筒部２１の壁部２２に沿う正弦波状をなす。
【００１７】
次に、複合板材１０の作用について、図４に示す比較例であるハニカム構造体１２０と比較しつつ説明する。
比較例であるハニカム構造体１２０は、本実施形態のハニカム構造体２０と同様に構成され、ハニカム構造体１２０には充填材３０が充填されていない。比較例であるハニカム構造体１２０に外力が加わった場合、図４に示すように、ハニカム構造体１２０は鞍形に変形する。よって、ハニカム構造体１２０の縁部は曲げが大きくなる。この点、本実施形態においては、ハニカム構造体２０の周縁部である充填領域１２に充填材３０が充填されている。充填領域１２の充填材３０により、ハニカム構造体２０の曲げが抑制される。ハニカム構造体２０の周縁部が曲がらなければ充填領域１２により囲まれる非充填領域１３が曲がらない。よって、複合板材１０の剛性を高めることができる。
【００１８】
次に、複合板材１０の使用例について説明する。
図１に示すように、複合板材１０は、例えば、設置対象物Ｗを設置するために用いられる。設置対象物Ｗは、一例として、セラミックである。しかし、設置対象物Ｗはセラミックに限らず、どのような材質であってもよい。
設置対象物Ｗは、複合板材１０の上面１０ａにおける非充填領域１３に設置される。非充填領域１３は、設置対象物Ｗの設置面積よりも大きく形成される。
ユーザは、設置対象物Ｗが複合板材１０に設置された状態で、複合板材１０の充填領域１２を把持して、複合板材１０を設置対象物Ｗとともに図示しない乾燥機に設置する。この際、複合板材１０の充填領域１２は、図示しない乾燥機の支持部により支持される。
充填領域１２は、ユーザの手で把持可能なサイズに設定される。充填領域１２の幅Ｈは、小さすぎるとユーザの手指を引っ掛けることが困難であるとともに複合板材１０の曲げを十分に抑制できないおそれがある。一方、充填領域１２の幅Ｈは、大きすぎると設置対象物Ｗが設置される非充填領域１３の確保が困難となる。このような観点から、充填領域１２の幅Ｈは、例えば、２ｃｍ〜２０ｃｍの範囲に設定される。
ユーザが複合板材１０の充填領域１２を把持する際、ハニカム構造体２０の充填領域１２に充填材３０が充填されているため、設置対象物Ｗの自重により複合板材１０が曲がることが抑制される。
設置対象物Ｗが非充填領域１３に設置された状態では、設置対象物Ｗの下面は非充填領域１３の複数の筒部２１を介して外部に露出する。よって、図１の矢印Ｄ１に示すように、乾燥機において温風又は赤外線光を設置対象物Ｗの上面のみならず下面にも当てることができる。これにより、設置対象物Ｗを迅速に乾燥させることができる。
【００１９】
（効果）
以上、説明した一実施形態によれば、以下の効果を奏する。
【００２０】
（１）複合板材１０は、面方向に沿って並べられ、厚さ方向に沿って延びる六角形筒状の複数の筒部２１を有するハニカム構造体２０と、複数の筒部２１の何れかの内部に充填される充填材３０と、を備える。ハニカム構造体２０は、筒部２１に充填材３０が充填される充填領域１２と、筒部２１に充填材３０が充填されない非充填領域１３と、を備える。
この構成によれば、ハニカム構造体２０の充填領域１２に充填材３０が充填される。このため、充填材３０によりハニカム構造体２０の曲げが抑制されるため、複合板材１０の剛性を高めることができる。また、複合板材１０の厚さは、ハニカム構造体２０の厚さと同等とすることができる。このように、複合板材１０において、剛性を確保しつつ、薄型化を図ることができる。
また、ハニカム構造体２０は、筒部２１に充填材３０が充填されない非充填領域１３を備える。このため、非充填領域１３の筒部２１を介して複合板材１０の厚さ方向に流体が通過可能である。このため、複合板材１０において通気性を確保することができる。
さらに、複合板材１０は、熱膨張係数が異なる二枚の板を貼り合わせた形状とは異なり、バイメタル現象が発生しない。よって、複合板材１０は温度変化に対する耐久性が高い。
【００２１】
（２）充填領域１２は、複合板材１０の外周縁部に沿って形成される。非充填領域１３は、充填領域１２に囲まれる領域に形成される。
この構成によれば、ハニカム構造体２０の充填領域１２に充填材３０が形成されることにより、ハニカム構造体２０の非充填領域１３の曲げがより確実に抑制される。よって、非充填領域１３に外力が加わった場合でも、複合板材１０が曲がることが抑制される。
【００２２】
（３）筒部２１は、平板状に延びる薄壁部に相当する単層壁部２２ａと、単層壁部２２ａよりも厚く、単層壁部２２ａに対して異なる角度に平板状に延びる厚壁部に相当する二層壁部２２ｂと、を備える。
この構成によれば、二層壁部２２ｂにより、ハニカム構造体２０、ひいては複合板材１０の剛性を高めることができる。
また、二層壁部２２ｂは、面方向の第１方向Ｘに沿って破線状に並び、第１方向Ｘに並ぶ複数の二層壁部２２ｂは、面方向における第１方向Ｘに直交する第２方向Ｙに並ぶ。このように、二層壁部２２ｂを間隔的に配置することにより、より複合板材１０の剛性を高めることができる。
【００２３】
（４）非充填領域１３は、物の一例である設置対象物Ｗを設置するための領域である。
この構成によれば、設置対象物Ｗの下面は、非充填領域１３における複数の筒部２１を介して外部に露出する。このため、設置対象物Ｗの外気に触れる面積を増やすことができる。
また、非充填領域１３は、設置される設置対象物Ｗとの接触面積よりも大きく形成される。これにより、設置対象物Ｗの下面の全域にわたって外部に露出させることができる。
また、充填領域１２は、ユーザの手により把持可能なサイズに形成される。これにより、ユーザが充填領域１２を把持して、設置対象物Ｗが設置された複合板材１０を運ぶことができる。この際、ハニカム構造体２０の充填領域１２に充填材３０が充填されているため、設置対象物Ｗの自重により複合板材１０が曲がることが抑制される。
【００２４】
（変形例）
なお、上記実施形態は、これを適宜変更した以下の形態にて実施することができる。
【００２５】
上記実施形態においては、複合板材１０は、例えば、設置対象物Ｗを設置するために用いられていたが、これに限らず、冷却、加熱又は洗浄される対象物を設置するために用いられてもよい。
さらに、複合板材１０は、対象物を設置して運ぶ以外の目的に使用されてもよい。複合板材１０は、例えば、壁材、床材、天井材、屋根材又はドア等の建材に使用されてもよいし、机、椅子又は棚等の板材として使用されてもよい。また、複合板材１０は、工作機械において被加工物を設置するためのテーブルとして使用されてもよい。
【００２６】
上記実施形態においては、充填領域１２は、図２に示すように、複合板材１０の外周を囲む枠状をなしていたが、これに限らない。例えば、充填領域１２は、図５（ａ）に示すように、複合板材１０の一対の長手縁部に沿って形成されてもよいし、図５（ｂ）に示すように、Ｘ字状に形成されてもよい。また、充填領域１２は格子状に形成されてもよい。
さらに、例えば、図６に示すように、単一の筒部２１に充填材３０がされず、残りの全ての筒部２１に充填材３０がされてもよい。充填材３０がされない筒部２１は所定の面積に１つの割合で形成されてもよい。このように、非充填領域１３と充填領域１２の比率を調整することにより、複合板材１０の通気性を調整することができる。例えば、非充填領域１３の比率が高まるにつれて、複合板材１０の通気性が高まる。
【００２７】
上記実施形態においては、充填材３０は、ハニカム構造体２０と同一の高さを有していたが、これに限らず、図７に示すように、充填材３０は、ハニカム構造体２０よりも高く形成されてもよい。
【００２８】
上記実施形態においては、充填材３０は、通気性を有しない材質により形成されていたが、通気性を有する材質により形成されてもよい。例えば、充填材３０は、通気性を有する多孔質セラミックにより形成されてもよい。
【００２９】
上記実施形態においては、複合板材１０は長方形板状をなしていたが、これに限らず、正方形、台形又は菱形等のその他の四角形板状であってもよいし、三角形、五角形等の四角形以外の多角形板状であってもよい。また、複合板材１０は円板状をなしていてもよい。
【００３０】
上記実施形態においては、筒部２１は、壁部２２として単層壁部２２ａ及び二層壁部２２ｂを備えていたが、単層壁部２２ａのみから構成されてもよい。
【符号の説明】
【００３１】
１０  複合板材
１２  充填領域
１３  非充填領域
２０，１２０  ハニカム構造体
２１  筒部
２２  壁部
２２ａ  単層壁部
２２ｂ  二層壁部
３０  充填材
Ｗ  設置対象物
【図１】
2019203274.tif 000003
【図２】
2019203274.tif 000004
【図３】
2019203274.tif 000005
【図４】
2019203274.tif 000006
【図５】
2019203274.tif 000007
【図６】
2019203274.tif 000008
【図７】
2019203274.tif 000009